(57)【特許請求の範囲】
【請求項１】
冷蔵庫の貯蔵室を閉ざす扉であって、
透光性を有する材料からなる扉前面板と、
前記扉前面板の裏面に重ねられて前記扉前面板との間に収納空間を形成する収納空間形成部材と、
当該扉の側面に面して前記収納空間に設けられた入口部と、
前記入口部より前記収納空間に挿入される基板組品と、
前記収納空間に挿入された前記基板組品に接続されて当該冷蔵庫の制御部と前記基板組品との電気的接続を確立するワイヤハーネスと、
前記基板組品に続けて前記入口部より前記収納空間に挿入されて前記基板組品を前記扉前面板の方に押す保持部材と、
前記保持部材に形成され、当該保持部材が前記収納空間内の所定の深さに挿入されるまでの間に前記ワイヤハーネスを捕捉して保持するトラップ構造と、
を備えることを特徴とする冷蔵庫の扉構造。
【請求項２】
前記ワイヤハーネスに向かって開いた形状のフックが前記トラップ構造を構成することを特徴とする請求項１に記載の冷蔵庫の扉構造。
【請求項３】
前記扉前面板には前記基板組品の所定箇所を視認させる透視部を除き不透明化処理が施されているとともに、前記基板組品と前記収納空間形成部材の間に入り込んで前記基板組品を前記扉前面板の方に押す調整板を備えることを特徴とする請求項１または２に記載の冷蔵庫の扉構造。
【請求項４】
前記入口部を塞ぐ蓋部材を備え、当該蓋部材が前記保持部材を前記収納空間内の所定位置に固定することを特徴とする請求項１から３のいずれかに記載の冷蔵庫の扉構造。
【発明の詳細な説明】
【技術分野】
【０００１】
本発明は冷蔵庫の扉構造に関する。
【背景技術】
【０００２】
冷蔵庫には庫内温度などの設定条件や、現在の状態などを表示する表示部が設けられている。最近の冷蔵庫の中には、ガラスや透明プラスチックのような透光性を有する材料で扉前面板を形成し、この扉前面板の裏側に基板組品を配置したものがある。この種の基板組品は、多くの場合、表示部の機能と操作部の機能を備える。すなわち基板表面に設けられた液晶表示パネルやＬＥＤによる表示を、扉前面板を通じて視認させ、同じく基板表面に設けられた静電容量方式のスイッチを、扉前面板を通じて人体の静電容量で操作する。すなわち扉前面板と基板組品の組み合わせがタッチパネルを構成する。このような冷蔵庫の例を特許文献１から３に見ることができる。
【０００３】
特許文献１に記載された冷蔵庫では、透光性を有する材料からなる扉前面板の裏面に保持部により表示ユニット配置空間が形成されている。この表示ユニット配置空間に対し、扉の縁取り部材に形成された入口部から表示ユニットが挿入される。
【０００４】
特許文献２に記載された冷蔵庫では、透光性を有する扉前面部材の後方にガイド溝により基板が保持される。基板には静電容量の変化を検出する検出部が設けられる。ガイド溝の終端部付近まで基板が挿入されると検出部が扉前面部材の後面に接触又は近接する。
【０００５】
特許文献３に記載された冷蔵庫では、透光性を有する扉前面板の裏面に基板組品が配置される。基板組品は、ＬＥＤ発光部、静電容量の変化を検出する検出部、判定部マイコンを含む自動制御部等を備えた基板と、表示文字が印刷されたフィルム、基板ケース等により構成されている。
【先行技術文献】
【特許文献】
【０００６】
【特許文献１】特開２０１３−６４５１３号公報
【特許文献２】特許第４９７０６１７号公報
【特許文献３】特開２０１２−８３１０２号公報
【発明の概要】
【発明が解決しようとする課題】
【０００７】
透光性を有する材料からなる扉前面板の裏側に、表示部の機能と操作部の機能を備えた基板組品を配置する場合、扉前面板の裏側に収納空間を形成し、扉の側面側に設けられた入口部から収納空間に基板組品を挿入するという構造が通常採用される。
【０００８】
基板組品には収納空間の中に引き出されたワイヤハーネスを接続しなければならないが、収納空間の内部は狭いので、基板組品が収納空間に完全に収納された後に接続作業を行うのは困難である。そこで、基板組品の一部分が入口部から外側に突き出している間にその部分に対しワイヤハーネスを接続し、それから基板組品を収納空間に完全に収納する、という作業手順になる。
【０００９】
上記のような作業手順を採用する場合、収納空間の中に引き出されるワイヤハーネスには基板組品の中で収納空間の入口部の外側に突き出している部分に接続できるだけの長さのゆとりを持たせなければならない。そのようなワイヤハーネスのゆとりは、ワイヤハーネスが接続された基板組品が狭い収納空間に完全に収納された後、ワイヤハーネスのたるみとなって現れる。たるんだワイヤハーネスを設計通りの位置に収めるのは難しい。
【００１０】
本発明は上記の点に鑑みなされたものであり、透光性を有する材料からなる扉前面板の裏面の収納空間に基板組品を収納するに際し、基板組品に接続されるワイヤハーネスが、収納空間内で設計通りの位置に保持されるようにすることを目的とする。
【課題を解決するための手段】
【００１１】
上記目的を達成するために、本発明に係る冷蔵庫の扉構造は、透光性を有する材料からなる扉前面板と、前記扉前面板の裏面に重ねられて前記扉前面板との間に収納空間を形成する収納空間形成部材と、当該扉の側面に面して前記収納空間に設けられた入口部と、前記入口部より前記収納空間に挿入される基板組品と、前記収納空間に挿入された前記基板組品に接続されて当該冷蔵庫の制御部と前記基板組品との電気的接続を確立するワイヤハーネスと、前記基板組品に続けて前記入口部より前記収納空間に挿入される保持部材と、前記保持部材に形成され、当該保持部材が前記収納空間内の所定の深さに挿入されるまでの間に前記ワイヤハーネスを捕捉して保持するトラップ構造と、を備えることを特徴としている。
【００１２】
上記構成の冷蔵庫の扉構造において、前記ワイヤハーネスに向かって開いた形状のフックが前記トラップ構造を構成することが好ましい。
【００１３】
上記構成の冷蔵庫の扉構造において、前記扉前面板には前記基板組品の所定箇所を視認させる透視部を除き不透明化処理が施されているとともに、前記基板組品と前記収納空間形成部材の間に入り込んで前記基板組品を前記扉前面板の方に押す調整板を備えることが好ましい。
【００１４】
上記構成の冷蔵庫の扉構造において、前記入口部を塞ぐ蓋部材を備え、当該蓋部材が前記保持部材を前記収納空間内に留める役割を担うことが好ましい。
【発明の効果】
【００１５】
本発明によると、透光性を有する材料で形成された扉前面板の裏面の収納空間に基板組品を収納するに際し、基板組品にワイヤハーネスを接続した後、基板組品に続けて保持部材を収納空間に収納すると、保持部材に形成されたトラップ構造がワイヤハーネスを捕捉して保持するから、組立作業時の配線処理が簡便になるとともに、ワイヤハーネスを設計通りの位置に保持することができる。
【図面の簡単な説明】
【００１６】
【図１】冷蔵庫の正面図である。
【図２】１枚の扉の正面断面図である。
【図３】図２の扉の部分拡大図で、基板組品にワイヤハーネスが接続されているが、保持部材が収納空間に挿入されるには至っていない状態を示すものである。
【図４】図２の扉の部分拡大図で、基板組品にワイヤハーネスが接続され、保持部材が収納空間に挿入された状態を示すものである。
【図５】図３の部分の水平断面図である。
【図６】図４の部分の水平断面図である。
【図７】収納空間の入口部が蓋部材で塞がれた状態を示す水平断面図である。
【発明を実施するための形態】
【００１７】
＜第１実施形態＞
図１に冷蔵庫の構成例を示す。図１における左側と右側が以下の説明でも「左」と「右」になる。
【００１８】
冷蔵庫１の正面には計４個の扉が存在する。左上の扉１０と右上の扉１１は回動して貯蔵室を開閉するタイプの扉であり、扉１０は左側に開閉支点を有し、扉１１は右側に開閉支点を有する。左下の扉１２と右下の扉１３も回動して貯蔵室を開閉するタイプの扉であり、扉１２は左側に開閉支点を有し、扉１３は右側に開閉支点を有する。これら４個の扉の中で、扉１０が本発明に係る扉構造を備える。
【００１９】
図２から図６に扉１０の構造を示す。扉１０は透光性を有する材料からなる扉前面板２０（図５参照）を有する。透光性を有する材料として、ガラスや合成樹脂を採用することができる。ガラスの場合には厚さ３mmから４mmの強化ガラスを用いるのがよい。
【００２０】
扉前面板２０は扉１０の正面のほぼ全体を占める面積を有する。扉前面板２０は全体が透光性を有する材料である必要はなく、後述する基板組品の収納空間に面する部分のみ透光性を有する材料で形成し、他の部分は異なる材料で構成することとしてもよい。扉前面板２０の裏側には合成樹脂板を真空成型して所定の形状とした内面板２１（図５参照）が配置される。内面板２１は扉前面板２０との間に断熱層形成空間を形成し、この断熱層形成空間の内部で合成樹脂の発泡が行われ、断熱層２２（図５参照）が形成される。
【００２１】
扉前面板２０の裏面には扉前面板２０との間に収納空間２３を形成する収納空間形成部材２４が重ねられる。収納空間形成部材２４は合成樹脂製のトレイ状部材であり、窪みの部分を囲む縁の部分が扉前面板２０の裏面に押し当てられる形で、断熱層２２により保持される。断熱層２２の厚みを確保するため、収納空間形成部材２４は奥行き寸法が小さくされている。すなわち収納空間２３は奥行きの浅い、狭い空間になっている。収納空間形成部材２４には、扉１０の右側面に面する側に、収納空間２３の入口部２５が形成されている。
【００２２】
入口部２５から収納空間２３に、基板組品３０が挿入される。基板組品３０は、１枚または複数枚の基板により構成される回路基板と、回路基板の表面上で表示部や操作部を構成する機能部品を組み合わせて構成される。基板組品３０は機能部品が配置された側の面を扉前面板２０の裏面に向けて、垂直に立てた状態で保持される。扉前面板２０と基板組品３０の組み合わせでタッチパネルが構成される。基板組品３０の所定箇所に静電容量方式のスイッチが形成され、このスイッチが扉前面板２０越しに人体の静電容量を検知することでスイッチの操作が行われる、というのがタッチパネルの仕組みである。
【００２３】
図３に示す通り、基板組品３０の左側の縁には、収納空間２３の左側の内側面に突き当たる突起３１が上下２箇所に設けられている。収納空間２３の上部内側面と下部内側面には収納空間２３の内側に向かって突き出す突起２６、２７が各々２個ずつ左右に離れた位置に形成されている。突起２６と突起２７は１個ずつ垂直線上で整列し、互いに向かい合う。
【００２４】
基板組品３０の上側の縁と下側の縁には、突起３１が収納空間２３の左側の内側面に突き当たるまで基板組品３０が収納空間２３に挿入されたとき、突起２６、２７に接触する突起３２、３３が、各々２個ずつ左右に離れた位置に形成されている。
【００２５】
突起３１は収納空間２３に対する基板組品３０の左右方向の位置決めの役割を果たし、突起３２、３３は収納空間２３に対する基板組品３０の上下方向の位置決めの役割を果たす。突起２６、２７の間に突起３２、３３がスムーズに入り込むように、突起３２、３３には各々左側の角に案内斜面が形成されている。
【００２６】
扉前面板２０には、基板組品３０の表示部を視認させる透視部を除き、不透明化処理を施す。これにより表示部以外の部分が目に入らなくなり、デザイン性が向上する。図１に示す矩形領域２８に透視部が配置されている。不透明化処理には、扉前面板２０の裏面に印刷を施し、印刷層を保護フィルムで保護するといった手法を用いることができる。
【００２７】
収納空間２３には、入口部２５のところに下方からワイヤハーネス４０、４１の一端が引き出されている。ワイヤハーネス４０、４１は冷蔵庫１の制御部（図示せず）と基板組品３０との電気的接続を確立するためのものである。ワイヤハーネス４０、４１の他端は図２に示すように扉１０の上端から引き出される。ワイヤハーネス４０、４１の大部分は断熱層２２の中に埋め込まれている。
【００２８】
収納空間２３の入口部２５に引き出されたワイヤハーネス４０、４１の一端にはコネクタ４２、４３が取り付けられている。コネクタ４２、４３は基板組品３０の右端に接続される。コネクタ４２、４３は、基板組品３０が収納空間２３に完全に収納される前に、基板組品３０の中で入口部２５から外側に突き出している部分に接続される。そのような作業を可能にするため、ワイヤハーネス４０、４１の収納空間内引き出し部分には長さのゆとりを持たせてある。
【００２９】
上記のように長さにゆとりのあるワイヤハーネス４０、４１がコネクタ４２、４３で基板組品３０に接続され、その後基板組品３０が図３及び図５に示す通り収納空間２３の一番奥まで挿入されると、ワイヤハーネス４０、４１の長さのゆとりは狭い収納空間２３の中でワイヤハーネス４０、４１のたるみとなって表れる。たるんだワイヤハーネス４０、４１を設計通りの位置に収めるのは難しい。この問題が、本発明では次のようにして解決される。
【００３０】
基板組品３０が収納空間２３の一番奥まで挿入された後、それに続けて図４、図６、及び図７に示す保持部材５０が入口部２５から収納空間２３に挿入される。保持部材５０は基板組品３０の上下幅より少し小さい上下幅を備えた合成樹脂製の部品であり、ワイヤハーネス４０、４１を捕捉するトラップ構造５１を備えている。本実施形態でトラップ構造５１を構成しているのは上下に間隔を置いて形成された２個のフック５２である。２個のフック５２は保持部材５０から水平に突き出しており、それぞれワイヤハーネス４０、４１に向かって開いた形状の平面形状を有している。
【００３１】
入口部２５から挿入された保持部材５０が収納空間２３内の所定の深さ（左右方向における深さ）まで、すなわち図４、図６、及び図７に示す位置まで挿入されるまでの間に、トラップ構造５１は収納空間２３の中でたるんでいるワイヤハーネス４０、４１を引っ掛けて捕捉する。そして図４、図６、及び図７に示す位置において、トラップ構造５１はワイヤハーネス４０、４１を保持し続ける。これにより、ワイヤハーネス４０、４１は設計通りの位置に保持される。
【００３２】
保持部材５０を用いないでワイヤハーネス４０、４１の配線処理を行うときは、別途治具を用いる必要が生じる場合がある。ワイヤハーネス４０、４１が引っ張られ、コネクタ４２、４３がダメージを受ける可能性もある。保持部材５０を用いることで、上記のようなリスクを回避しつつ、配線処理を簡便にして組立作業性を高めることができる。
【００３３】
保持部材５０は図４、図６、及び図７に示す位置に固定される。後述する蓋部材が入口部２５を塞ぐことで保持部材５０は固定される。
【００３４】
保持部材５０に先立ち、調整板５３が収納空間２３に挿入される。調整板５３は収納空間形成部材２４と基板組品３０の間に入り込む。調整板５３に続いて保持部材５０が収納空間２３に挿入されると、調整板５３は保持部材５０に押されて収納空間形成部材２４と基板組品３０の隙間の奥深くに侵入する。調整板５３はくさびのように作用して基板組品３０を扉前面板２０の方に押す。これにより基板組品３０は扉前面板２０と所定の近接状態あるいは密着状態となり、表示部を扉前面板２０の透視部から明瞭に視認させることができる。またタッチパネルの感度を高めることができる。調整板５３と保持部材５０を一体化する設計も可能である。
【００３５】
保持部材５０が図４、図６、及び図７に示す位置まで挿入された後、蓋部材６０が入口部２５を塞ぐ。その状態を図７に示す。蓋部材６０が入口部２５を塞ぐことで保持部材５０は入口部２５から脱出できなくなり、その位置に固定される。蓋部材６０は図示しないビスにより収納空間形成部材２４に固定される。その後、入口部２５が面している扉１０の右側面に図示しない縁取り部材が取り付けられ、扉１０は完成に近づく。
【００３６】
＜第２実施形態＞
第１実施形態では入口部２５を塞ぐ蓋部材６０が保持部材５０を収納空間内に留める役割を担っていたが、第２実施形態では保持部材５０自身を収納空間形成部材２４に固定するものとする。固定手段としては、ビスであるとか、収納空間形成部材２４と保持部材５０の間に係合爪を設けて保持部材５０の抜け止めを行うなどの手段を採用することができる。
【００３７】
＜第３実施形態＞
第３実施形態では、保持部材５０と蓋部材６０を統合し、単一の部品として構成する。これにより、部品点数を減らし、組付作業工数も減らすことができる。
【００３８】
＜第４実施形態＞
第１実施形態から第３実施形態までは扉１０の右側面に取り付けられる縁取り部材が蓋部材６０を隠していた。第４実施形態では扉１０の右側面の縁取り部材に蓋部材６０を露出させる窓を設ける。そしてこの窓を通じて蓋部材６０を着脱できるようにする。このように構成することで、基板組品３０に不具合が生じた場合に修理や部品交換を容易に行うことができる。
【００３９】
以上、本発明の実施形態につき説明したが、本発明の範囲はこれに限定されるものではなく、発明の主旨を逸脱しない範囲で種々の変更を加えて実施することができる。
【産業上の利用可能性】
【００４０】
本発明は冷蔵庫の扉構造に広く利用可能である。
【符号の説明】
【００４１】
１    冷蔵庫
１０  扉
２０  扉前面板
２３  収納空間
２４  収納空間形成部材
２５  入口部
３０  基板組品
４０、４１  ワイヤハーネス
５０  保持部材
５１  トラップ構造
５２  フック
５３  調整板
６０  蓋部材
【図１】
0006491470.tif 000002
【図２】
0006491470.tif 000003
【図３】
0006491470.tif 000004
【図４】
0006491470.tif 000005
【図５】
0006491470.tif 000006
【図６】
0006491470.tif 000007
【図７】
0006491470.tif 000008